(57)【要約】【課題】  換気機能を有するとともに、空気清浄効果を室内全体にゆきわたらせることができ、また、静電霧化装置の転倒の心配もなく、しかも、既存の換気システムに静電霧化装置を容易に後付けすることができる換気設備を提供する。【解決手段】  換気システムまたは換気扇の室内吹き出し口（６）の近傍に、帯電微粒子水を発生させる静電霧化装置（１）の吹き出し口が配置されているものとする。【選択図】図１
2005233586.tif 000002
【特許請求の範囲】
【請求項１】
換気システムまたは換気扇の室内吹き出し口の近傍に、帯電微粒子水を発生させる静電霧化装置の吹き出し口が配置されていることを特徴とする換気設備。
【請求項２】
静電霧化装置には、帯電微粒子水の搬送手段が設けられていることを特徴とする請求項１記載の換気設備。
【請求項３】
帯電微粒子水の搬送手段は、ファンによる搬送手段、ヒーターによる搬送手段および風向き制御板のうちの少なくともいずれかであることを特徴とする請求項２記載の換気設備。
【請求項４】
換気システムまたは換気扇の室内吹き出し口には、静電霧化装置の稼動と連動して開くシャッターが設けられていることを特徴とする請求項１から３のいずれかに記載の換気設備。
【請求項５】
換気システムは、取り込んだ外気を給気管を通じて室内に給気するシステムを少なくともその一部として有し、給気管からの給気を室内に吹き出す室内吹き出し口の近傍に静電霧化装置の吹き出し口が設けられていることを特徴とする請求項１から４のいずれかに記載の換気設備。
【請求項６】
換気システムは、室内の空気を排気管を通じて屋外に排気するシステムを少なくともその一部として有していることを特徴とする請求項１から５のいずれかに記載の換気設備。
【請求項７】
換気扇または換気システムの室内吹き出し口は、換気用の熱交換素子を具備した熱交換換気扇または熱交換ユニットとして構成されていることを特徴とする請求項１から６のいずれかに記載の換気設備。
【請求項８】
換気扇または換気システムの室内吹き出し口は、換気機能付きまたは熱交換換気機能付きの空調機として構成されていることを特徴とする請求項１から６のいずれかに記載の換気設備。
【発明の詳細な説明】
【技術分野】
【０００１】
この出願の発明は、換気設備に関するものである。さらに詳しくは、この出願の発明は、換気機能を有するとともに、空気清浄効果を室内全体にゆきわたらせることができ、また、静電霧化装置の転倒の心配もなく、しかも、既存の換気システムや換気扇に静電霧化装置を容易に後付けすることができる、新しい換気設備に関するものである。
【背景技術】
【０００２】
従来、室内の空気清浄化、あるいは、室内の温度や湿度の制御等の空気環境を整えるためには、空気清浄機や換気システムを利用することが知られている。
【０００３】
たとえば、空気清浄機を利用した空気環境の整備では、空気清浄機の内部に殺菌作用を有する液体、あるいは、脱臭作用を有する液体等を溜めることのできる液体溜め部を備え、これら液体を霧化して放出することのできる静電霧化装置を搭載した空気清浄機を利用したものが提案されている（特許文献１）。この空気清浄機は、フィルタによる細菌や臭い等の除去に加え、前記液体の霧化・放出による、細菌や臭い等の除去も実現することができるとしている。
【０００４】
また、一方、換気システムとしては、たとえば、図２０に示したような、給気ファン（ア）を各室内（イ）に設置し、排気ファン（ウ）をトイレ（エ）や洗面所（オ）に設置して、家全体の換気を行う換気システムが知られている。
【特許文献１】特開２００３−７９７１４号公報
【発明の開示】
【発明が解決しようとする課題】
【０００５】
しかしながら、上記特許文献１に記載された空気清浄機については、換気機能を有していないため、室内で発生した二酸化炭素等のガス状物質や湿気を屋外へ排出することは困難であるという問題があった。また、空気清浄機の設置形態としては、据え置きタイプであることが多く、空気清浄機本体が転倒した場合、内部に備えられている静電霧化装置も転倒して静電霧化に使用する前記液体がこぼれ、電源部等の電気系統を濡らして危険な状態になるという問題もあった。
【０００６】
また、上記図２０に例示した換気システムでは、二酸化炭素等のガス状物質や湿気を屋外へ排出する等の室内（イ）の空気を入れ換える（換気機能）だけであって、室内（イ）に存在する細菌や臭い等の各種の有害物質の除去や分解を行って空気清浄効果を得ることができないという問題があった。そこで、たとえば、このような従来の換気システムに、室内に存在する細菌や臭い等の各種の有害物質の除去や分解効果を付与し、室内全体に空気清浄効果をゆきわたらせるため、たとえば、上記特許文献１記載の空気清浄機を後付けで設置することが考慮されるが、実際にはその設置は困難であるという問題があった。
【０００７】
そこで、以上のとおりの背景から、この出願の発明は、従来の問題点を解消して、換気機能を有するとともに、空気清浄効果を室内全体にゆきわたらせることができ、また、静電霧化装置の転倒の心配もなく、しかも、既存の換気システムや換気扇に静電霧化装置を容易に後付けすることができる、新しい換気設備を提供することを課題としている。
【課題を解決するための手段】
【０００８】
この出願の発明は、上記の課題を解決するものとして、第１には、換気システムまたは換気扇の室内吹き出し口の近傍に、帯電微粒子水を発生させる静電霧化装置の吹き出し口が配置されていることを特徴とする換気設備を提供する。
【０００９】
また、この出願の発明は、第２には、静電霧化装置には、帯電微粒子水の搬送手段が設けられていることを特徴とする換気設備を提供し、第３には、帯電微粒子水の搬送手段は、ファンによる搬送手段、ヒーターによる搬送手段および風向き制御板のうちの少なくともいずれかであることを特徴とする換気設備を提供する。
【００１０】
そして、第４には、換気システムまたは換気扇の室内吹き出し口には、静電霧化装置の稼動と連動して開くシャッターが設けられていることを特徴とする換気設備を提供する。
【００１１】
さらに、この出願の発明は、第５には、換気システムは、取り込んだ外気を給気管を通じて室内に給気するシステムを少なくともその一部として有し、給気管からの給気を室内に吹き出す室内吹き出し口の近傍に静電霧化装置の吹き出し口が設けられていることを特徴とする換気設備を提供し、第６には、換気システムは、室内の空気を排気管を通じて屋外に排気するシステムを少なくともその一部として有していることを特徴とする換気設備を、第７には、換気扇または換気システムの室内吹き出し口は、換気用の熱交換素子を具備した熱交換換気扇または熱交換ユニットとして構成されていることを特徴とする換気設備を、第８には、換気扇または換気システムの室内吹き出し口は、換気機能付きまたは熱交換換気機能付きの空調機として構成されていることを特徴とする換気設備を提供する。
【発明の効果】
【００１２】
上記のとおりのこの出願の第１の発明の換気設備によれば、空気の入れ換え等といった換気機能を有するとともに、ウイルス、細菌およびカビの不活化作用、脱臭作用等の空気清浄効果を有する帯電微粒子水を室内全体にゆきわたらせることができ、また、静電霧化装置の転倒の心配もなく、しかも、既存の換気システムまたは換気扇に静電霧化装置を容易に後付けすることができる。
【００１３】
また、第２の発明によれば、第１の発明の効果に加え、効率よく帯電微粒子水を室内にゆきわたらせることができる。
【００１４】
第３の発明によれば、第２の発明の効果に加え、より効率よく帯電微粒子水を室内にゆきわたらせることができる。
【００１５】
第４の発明によれば、上記第１から第３の発明の効果に加え、さらに効率よく帯電微粒子水を室内にゆきわたらせることができる。
【００１６】
第５の発明によれば、天井裏等の空間に設置した給気管からの各部屋への外気の導入に際し、清浄化換気が所要の部屋毎に可能とされ、住宅等の全体においても効果的な空気清浄効果をきめ細かく実現することができる。
【００１７】
第６の発明によれば、以上のような空気清浄化の効果とともに、室内の汚れた空気の集中的な効率的な排気も可能とされる。
【００１８】
第７および第８の発明によれば、以上のような空気清浄化の効果とともに、熱交換や空調による効果も実現されることになる。
【発明を実施するための最良の形態】
【００１９】
この出願の発明は、上記のとおりの特徴をもつものであるが、以下に、添付した図面に沿って、この出願の発明の実施形態について詳細かつ具体的に説明する。
【００２０】
図１は、この出願の発明の換気設備の一実施形態を例示した斜視図である。図２は、この出願の発明の換気設備の別の実施形態を例示した斜視図である。また、図３は、この出願の発明の換気設備のさらに別の実施形態を例示した斜視図である。
【００２１】
図１に例示したとおり、この出願の発明の換気設備は、室内の空気を換気することのできる換気システム、または、換気扇の室内吹き出し口（６）の下方に、複数の噴出孔（２）が設けられた静電霧化装置（１）が設置され、電線（L）により連結されている。静電霧化装置（１）の内部には、後述する帯電微粒子水の吹き出し口が備えられている。静電霧化装置（１）の設置場所は、換気システムの室内吹き出し口（６）の外部の近傍であれば、特に制限されるものではなく、施工状況等に応じて、図２に例示したように、静電霧化装置（１）を適宜に換気システムや換気扇の室内吹き出し口（６）の上方や、図３に例示したように、横側に設置すること等ができる。
【００２２】
次に、図４に沿ってこの出願の発明の換気設備を説明すると、この出願の発明の換気設備を構成する換気システムまた換気扇の室内吹き出し口（６）は、室内の空気環境を快適にするため、たとえば、ファン（７）およびフィルタ（８）、複数の空気孔（１０）を持ったルーバー（９）等を備えている。もちろん、環境条件によっては、ファン（７）やフィルタ（８）を有していなくてもよい。また、静電霧化装置（１）は、吹き出し口（１０１）、水等の液体（５）を溜める液体溜め部（１０２）、静電霧化装置（１）を作動させるための電源部（３）、これらを収納するカバー体（４）とを有している。
【００２３】
図５に例示したとおり、静電霧化装置（１）は、吹き出し口（１０１）、液溜め部（１０２）、生成槽（１０３）、霧化手段（１０４）および霧化槽（１０５）等で構成され、液溜め部（１０２）、生成槽（１０３）、および霧化槽（１０５）とが連通している。
【００２４】
生成槽（１０３）では、より効果的な抗ウイルス作用、殺菌作用、脱臭作用等を得るために、後述の帯電微粒子水を発生させるために使用する水等の液体（５）に抗ウイルス剤、殺菌剤、脱臭剤等を配合する等して、機能性液体を生成させることができる。もちろん、上記液体（５）は、抗ウイルス剤や殺菌剤、脱臭剤等を配合していない液体（５）、たとえば、水道水や蒸留水、イオン水、オゾン水等の各種の水を使用することもできる。
【００２５】
そして、このような液体（５）は生成槽（１０３）から液体溜め部（１０２）に供給されて溜められる。液体溜め部（１０２）に溜められた液体（５）に電圧の印加等の霧化手段（１０４）により、霧化槽（１０５）内で液体（５）を霧化（静電霧化）させることができる。静電霧化された液体、すなわち、帯電微粒子水（１１）は、活性種（たとえば、ヒドロキシラジカルやスーパーオキサイド等）を有し、しかも強い電荷量も有することになり、吹き出し口（１０１）から吹き出される。このような電荷を有する帯電微粒子水（１１）は、空気中のウイルス、細菌、カビ等の不活化、さらに脱臭作用等といった作用を有しているため、室内の空気環境を清浄化するのに極めて有効である。このため、屋外から導かれた空気（外気）を前記帯電微粒子水（１１）とともにファン（７）で室内へと送り込むことにより、空気の入れ換え等といった換気機能とともに、室内全体に抗ウイルス作用、殺菌作用、脱臭作用等の空気清浄効果を付与された空気を室内全体にゆきわたらせることができ、快適な室内環境を実現することができる。なお、霧化手段（１０４）は、電圧印加装置以外にも、超音波装置等が使用できる。
【００２６】
以上のようなこの出願の発明の換気設備は、天井や壁等に設置することができるため、転倒等は発生しない。このため、従来の転倒による静電霧化装置に使用する液体の漏れを防止することができる。
【００２７】
図６から図９は、この出願の発明の換気設備において、帯電微粒子水の搬送手段を例示した図であり、図６は、帯電微粒子水の搬出手段としてファンを設置した状態を例示した断面図である。図７は、帯電微粒子水の搬出手段としてヒーターを設置した状態を例示した断面図である。図８は、換気システムの空気孔の近傍にシャッターを設置した状態を例示した断面図である。さらに、図９は、空気孔の近傍にシャッターを設置するとともに、帯電微粒子水の搬出手段として風向き制御板を設置した状態を例示した断面図である。
【００２８】
図６の例では、静電霧化装置（１）の吹き出し口（１０１）下部に設置されたファン（１２）の作動により、帯電微粒子水（１１）は、上方へ拡散・吹き出されて、矢印で示した換気システムの室内吹き出し口（６）により取り込まれた外気の流れ（給気方向）と合流し、室内全体にゆきわたらせることができる。その結果、室内のウイルスや細菌が不活化され、また脱臭効果も発揮され、快適な空気環境とすることができる。
【００２９】
図７の例では、静電霧化装置（１）の吹き出し口（１０１）下部には、ヒーター（１３）が設置されている。このヒーター（１３）の作動により、空気が暖められ上昇気流が発生し、帯電微粒子水（１１）を上方へ拡散・吹き出させることができる。そして、矢印で示した換気システムの室内吹き出し口（６）により取り込まれた外気と合流し、外気とともに帯電微粒子水（１１）を室内全体にゆきわたらせることができる。その結果、帯電微粒子水（１１）が有するウイルスや細菌の不活化作用、また脱臭作用により、室内を快適な空気環境とすることができる。
【００３０】
また、図８の例では、換気システムの室内吹き出し口（６）下部に設けられている空気孔（１０）近傍に開閉自在のシャッター（１４）が設置されている。このシャッター（１４）は、静電霧化装置（１）の稼動と連動して開放される。すなわち、静電霧化装置（１）を作動させ帯電微粒子水（１１）を発生させると、シャッター（１４）が開放され、この帯電微粒子水（１１）が矢印で示した換気システムの室内吹き出し口（６）により取り込まれた外気と合流し、外気とともに帯電微粒子水（１１）を室内全体にゆきわたらせることができる。その結果、帯電微粒子水（１１）が有するウイルスや細菌の不活化作用、また脱臭作用により、室内を快適な空気環境とすることができる。
【００３１】
さらに、図９の例では、図８の例と同様に、換気システムの室内吹き出し口（６）下部の空気孔（１０）に、静電霧化装置（１）の稼動と連動して開閉自在のシャッター（１４）が設けられている。そして、さらに、静電霧化装置（１）上部に設けられている噴出口（図示せず）近傍には、帯電微粒子水（１１）と外気の流れを制御することのできる風向き制御板（１５）が設置されている。この換気システムの室内吹き出し口（６）に設置されたシャッター（１４）と静電霧化装置（１）に配設された風向き制御板（１５）により、帯電微粒子水（１１）は、より効率よく矢印で示した外気の流れと合流させることができ、外気とともに帯電微粒子水（１１）を室内全体にゆきわたることができる。その結果、帯電微粒子水（１１）が有するウイルスや細菌の不活化作用、また脱臭作用により、室内を快適な空気環境とすることができる。
【００３２】
なお、以上の図６から図９に沿って説明した帯電微粒子水の各搬送手段については、適宜に選択、または、組み合わせて使用することができる。また、帯電微粒子水の各搬送手段は、図１や図２、図３にて例示したように、静電霧化装置（１）の設置場所に応じて適宜に選択することができる。さらに、ファン（１２）や風向き制御板（１５）、シャッター（１４）等の配設位置も、その施工状況等に応じて適宜に変更することができる。
【００３３】
また、この出願の発明の換気設備に使用できるフィルタ（８）については、たとえば、不織布フィルタやHEPAフィルタ等各種のものを使用することができ、特に制限されるものではない。さらに、アリルイソチオシアネートやヒノキチオール等の抗菌効果、脱臭効果等を有する植物精油等を含ませたフィルタでもよい。さらにまた、フィルタ（８）の設置に際しては、図６から図９に例示したように、換気システムの室内吹き出し口（６）内のフィルタ（８）の上流側にして設置してもよいし、図には示していないが、フィルタ（８）の下流側にして設置してもよい。
【００３４】
図１０に帯電微粒子水の搬送手段としてファンを設置した換気設備における運転モードをフローチャートとして例示した。この図１０に例示したとおり、換気システムのファンは、基本的には24時間運転されており、空気清浄機能を要する際には、静電霧化装置を稼動させ、そして、運転モードを「通常」にすることで静電霧化装置のファンが作動して、帯電微粒子水が拡散・吹き出される。
【００３５】
また、図１１に別の運転モードをフローチャートとして例示した。図１１に例示した運転モードは、ヒーターを設置した換気設備、または、換気システムにシャッターを設置した換気設備、もしくは、前記シャッターの設置とともに風向き制御板を設置した換気設備に適用することができる。図１１に例示したとおり、換気システムのファンは、基本的には24時間運転されており、空気清浄機能を要する際には、静電霧化装置を稼動させることにより、上記のとおりの搬送手段装置（ヒーター、または、シャッター、もしくは、シャッターと風向き制御板）も連動して作動し、帯電微粒子水が効率よく拡散・吹き出される。
【００３６】
また、図１２は、この出願の発明の換気設備のシステム構成例として、給気が強制給気方式、排気が自然排気方式の場合における空気の流れを示した平面模式図である。また、図１３は、図１２における室内吹き出し口としての給気グリルおよび静電霧化装置の内部構成を例示した断面図である。
【００３７】
図１２および図１３の例では、ファン（７）を介して外気を取り込み、給気管（１６）を通じて、各室内（１７）に設けられている室内吹き出し口としての給気グリル（１８）から室内（１７）に給気している。給気グリル（１８）の外部近傍には、静電霧化装置（１）が設置されており、給気管（１６）を通じて導かれた空気に対して、その吹き出し口より吹き出した帯電微粒子水（１１）を作用させている。そして、室内の排気は排気口（１９）を通じて自然排気させている。
【００３８】
図１４は、この出願の発明の換気設備のシステム構成例として、給気が自然給気方式、排気が強制排気方式の場合における空気の流れを示した平面模式図であり、図１５は、図１４における室内吹き出し口としての給気口および静電霧化装置の内部構成を例示した断面図である。
【００３９】
図１４および図１５の例では、室内吹き出し口としての給気口（２０）にファンを備えていなくても、各室内（１７）に設けられた室内吹き出し口としての給気口（２０）から屋外の空気がフィルタ（８）を通過して自然給気される。そして、清浄化された空気は、給気口（２０）の外部近傍に設置された静電霧化装置（１）からの帯電微粒子水（１１）と合流し、室内（１７）全体に給気される。排気は、排気グリル（２１）から取り込まれ、排気管（２２）を通じてファン（７）により効率よく屋外へ排気される。
【００４０】
なお、この出願の発明における給気方式は、ファンを備えていない自然給気方式でもよいが、効率よく室外の空気（外気）を取り込んで室内へ給気するためには、ファン（７）等による強制給気方式を採用することが好ましい。
【００４１】
また、この出願の発明の換気設備は、図１６に例示したように、換気用の熱交換素子（２３）を具備した熱交換換気扇に適用してもよい。この換気用の熱交換素子（２３）は、矢印Aに示した屋外からの空気（外気）と、矢印Bに示した室内からの空気（排気）とが、この換気用の熱交換素子（２３）を挟んで混じることなく温度のみ、または温湿度を伝え合うことができる。このため、熱ロスを抑制して省エネルギーを実現することができる。したがって、熱交換換気扇の室内吹き出し口としての給気口（２０）内部に、静電霧化装置（１）と換気用の熱交換素子（２３）を配設することにより、ファン（図示せず）によって取り込まれた矢印Aに示した外気は、矢印Bに示した排気から適度な温度のみ、または温湿度を伝達され、静電霧化装置（１）からの帯電微粒子水（１１）により清浄化され、適度な温度と湿度、さらには抗ウイルス作用や殺菌作用、脱臭作用等の種々の有益な作用を有したクリーンな空気となって室内全体に給気される。
【００４２】
図１７は、この出願の発明の換気設備のシステム構成例として、熱交換素子を有する熱交換換気ユニットを備えた場合における空気の流れを示した平面模式図である。
【００４３】
図１７に例示したとおり、上記のとおりの機能を有する熱交換素子（図示せず）を備えた熱交換換気ユニット（２４）を配設することにより、矢印Aに示した屋外からの空気（外気）と矢印Bに示した室内（１７）からの空気（排気）とが、熱交換換気ユニット（２４）の内部に備えられた熱交換素子（図示せず）を挟んで混じることなく温度のみ、または温湿度を伝え合い、図１３の例と同様に、給気グリル（１８）の外部近傍に設置された静電霧化装置（１）によって発生させた帯電微粒子水（１１）を外気に作用させることができる。
【００４４】
さらに、図１８や図１９に例示したとおり、この出願の発明の換気設備は、換気機能付き、または、熱交換換気機能付きの空調機に適用することもできる。
【００４５】
図１８は、この出願の発明の換気設備を、換気機能を有した空調機に適用した実施形態を例示した断面図である。この図１８の例を説明すると、矢印Aで示した屋外からの空気（外気）は、空調機（２５）の外部に設置された静電霧化装置（１）からの帯電微粒子水（１１）と合流・作用させている。また、矢印Cで示した室内の空気（循環空気）は、空調機（２５）によって取り込まれ、空調機用の熱交換気気素子（２６）を介することによって、適切な温度のみ、または温湿度が付与され、前記の帯電微粒子水（１１）と合流・作用された矢印Aの外気とともに室内に給気される。
【００４６】
また、図１９は、この出願の発明の換気設備を、換気用の熱交換素子と空調機用の熱交換素子とを備えた換気機能付き空調機に適用した実施形態を例示した断面図である。
【００４７】
図１９に例示したとおり、空調機（２５）の内部には、換気用の熱交換素子（２３）とともに空調機用の熱交換素子（２６）が備えられている。このため、図１６の例と同様に、矢印Aに示した外気は、矢印Bに示した排気から適度な温度のみ、または温湿度を伝達し合い、ついで、空調機（２５）の外部に設置された静電霧化装置（１）からの帯電微粒子水（１１）により清浄化される。また、矢印Cで示した室内の空気（循環空気）は、空調機（２５）によって取り込まれ、空調機用の熱交換素子（２６）を介することによって、適切な温度、湿度が付与される。このとき、矢印Cで示した循環空気は、当然に帯電微粒子水（１１）によって清浄化された室内の空気であってもよい。これによって、帯電微粒子水（１１）が有する種々の有益な効果作用が付与されたクリーンな空気に、さらに適度な温度と湿度を付与することができ、室内をより快適で、クリーンな空気環境とすることができる。
【００４８】
もちろん、この出願の発明の換気設備は、以上の例示によって限定されるものではない。
【図面の簡単な説明】
【００４９】
【図１】この出願の発明の換気設備の一実施形態を例示した斜視図である。
【図２】この出願の発明の換気設備の別の実施形態を例示した斜視図である。
【図３】この出願の発明の換気設備のさらに別の実施形態を例示した斜視図である。
【図４】この出願の発明の換気設備の一実施形態を例示した分解斜視図である。
【図５】静電霧化装置の内部構成例を模式的に示した断面図である。
【図６】この出願の発明の換気設備において、帯電微粒子水の搬出手段としてファンを設置した状態を例示した断面図である。
【図７】この出願の発明の換気設備において、帯電微粒子水の搬出手段としてヒーターを設置した状態を例示した断面図である。
【図８】この出願の発明の換気設備において、空気孔近傍にシャッターを設置した状態を例示した断面図である。
【図９】この出願の発明の換気設備において、空気孔近傍にシャッターを設置するとともに、帯電微粒子水の搬出手段として風向き制御板を設置した状態を例示した断面図である。
【図１０】この出願の発明の換気設備における運転モードを例示したフローチャートである。
【図１１】この出願の発明の換気設備における別の運転モードを例示したフローチャートである。
【図１２】この出願の発明の換気設備のシステム構成例として、給気が強制給気方式、排気が自然排気方式の場合における空気の流れを示した平面模式図である。
【図１３】図１２における室内吹き出し口としての給気グリルおよび静電霧化装置の内部構成を例示した断面図である。
【図１４】この出願の発明の換気設備のシステム構成例として、給気が自然給気方式、排気が強制排気方式の場合における空気の流れを示した平面模式図である。
【図１５】図１４における室内吹き出し口としての給気口および静電霧化装置の内部構成を例示した断面図である。
【図１６】この出願の発明の換気設備において、熱交換換気扇の内部構成を例示した断面図である。
【図１７】この出願の発明の換気設備のシステム構成例として、熱交換換気ユニットを備えた場合における空気の流れを示した平面模式図である。
【図１８】この出願の発明の換気設備を、換気機能を有した空調機に適用した実施形態を例示した断面図である。
【図１９】この出願の発明の換気設備を、換気用の熱交換素子と空調機用の熱交換素子とを備えた換気機能付き空調機に適用した実施形態を例示した断面図である。
【図２０】従来の換気システムのシステム構成を例示した平面模式図である。
【符号の説明】
【００５０】
１  静電霧化装置
１０１  吹き出し口
１０２  液体溜め部
１０３  生成槽
１０４  霧化手段
１０５  霧化槽
２  噴出孔
３  電源部
４  カバー体
５  液体
６  室内吹き出し口
７  ファン
８  フィルタ
９  ルーバー
１０  空気孔
１１  帯電微粒子水
１２  ファン
１３  ヒーター
１４  シャッター
１５  風向き制御板
１６  給気管
１７  室内
１８  給気グリル
１９  排気口
２０  給気口
２１  排気グリル
２２  排気管
２３  換気用の熱交換素子
２４  熱交換換気ユニット
２５  空調機
２６  空調機用の熱交換素子
L  電線
ア  給気ファン
イ  室内
ウ  排気ファン
エ  トイレ
オ  洗面所
【図１】
2005233586.tif 000003
【図２】
2005233586.tif 000004
【図３】
2005233586.tif 000005
【図４】
2005233586.tif 000006
【図５】
2005233586.tif 000007
【図６】
2005233586.tif 000008
【図７】
2005233586.tif 000009
【図８】
2005233586.tif 000010
【図９】
2005233586.tif 000011
【図１０】
2005233586.tif 000012
【図１１】
2005233586.tif 000013
【図１２】
2005233586.tif 000014
【図１３】
2005233586.tif 000015
【図１４】
2005233586.tif 000016
【図１５】
2005233586.tif 000017
【図１６】
2005233586.tif 000018
【図１７】
2005233586.tif 000019
【図１８】
2005233586.tif 000020
【図１９】
2005233586.tif 000021
【図２０】
2005233586.tif 000022